(57)【要約】【課題】より好適に設置可能な落下物受け具を提供する。【解決手段】鳥類の巣の下方に設置されて用いられ、巣からの落下物を受けることが可能な落下物受け具である。環状体を形成可能な環状形成部材２０と、底部の上面を落下物を受ける受け面として環状体の内側に着脱可能に取り付けられる底板部材５０と、を備える。環状体の内側を横切るように配置される補助部材４０を備えており、その補助部材４０は環状体の下側から取り付けられ、底板部材５０は下側から押圧することで環状体から取り外すことができる。【選択図】図１１
2020163260.tif 000002
【特許請求の範囲】
【請求項１】
鳥類の巣の下方に設置されて用いられ、巣からの落下物を受けることが可能な落下物受け具であって、
環状体を形成可能な環状形成部材と、
底部の上面を前記落下物を受ける受け面として前記環状体の内側に着脱可能に取り付けられる底板部材と、を備える落下物受け具。
【請求項２】
前記環状形成部材は、前記環状体を形成する場合に屈曲若しくは湾曲させる位置を示す指示部を備える、請求項１に記載の落下物受け具。
【請求項３】
前記環状体は、周方向に少なくとも２つの直線部を備え、該直線部は互いの角度が９０°となるように配置されたものを含む、請求項１又は２に記載の落下物受け具。
【請求項４】
前記底板部材は、前記底部の下面側から押圧することで前記環状体から取り外すことが可能である、請求項１〜３のいずれか１項に記載の落下物受け具。
【請求項５】
前記環状体の内側を横切るように配置される補助部材をさらに備える、請求項１〜４のいずれか１項に記載の落下物受け具。
【請求項６】
前記環状体の内側を横切るように配置される補助部材をさらに備え、
前記補助部材は、前記環状体の下側から取り付けられる、請求項４に記載の落下物受け具。
【請求項７】
建造物に取り付け可能な取付部と、前記環状体を支持可能な支持部と、を有する取付部材をさらに備える、請求項１〜６のいずれか１項に記載の落下物受け具。
【請求項８】
前記取付部と前記支持部とは、前記環状体を挟持可能な一対の面を有する、請求項７に記載の落下物受け具。
【発明の詳細な説明】
【技術分野】
【０００１】
本発明は、鳥類の巣の下方に設置されて用いられ、糞等の落下物を受ける落下物受け具に関する。
【背景技術】
【０００２】
従来、鳥類の巣からの糞等の落下物への対策として、巣の下に紙を敷くことが一般的であった。また、特許文献１のように、鳥類の巣の下に台を設置し、その台で落下物を受けることも行われている。
【先行技術文献】
【特許文献】
【０００３】
【特許文献１】特開２０１０−２４８８８号公報
【発明の概要】
【発明が解決しようとする課題】
【０００４】
特許文献１に記載の落下物受け具は、転倒対策が必要であるため全体が大型化し、鳥類に対して威圧感を与えて巣の放棄につながるおそれがある。また、落下物受け具の設置は、主にツバメ等の渡り鳥への対策として用いられる場合が多く、渡り鳥の巣作りから巣立ちまでの期間は１ヶ月半程度と短いため、恒久的な落下物受け具を設置する必要性は低い。
【０００５】
本発明は、上記課題を解決するためになされたものであり、その主たる目的は、より好適に設置可能な落下物受け具を提供することにある。
【課題を解決するための手段】
【０００６】
第１の構成は、鳥類の巣の下方に設置されて用いられ、巣からの落下物を受けることが可能な落下物受け具であって、環状体を形成可能な環状形成部材と、底部の上面を前記落下物を受ける受け面として前記環状体の内側に着脱可能に取り付けられる底板部材と、を備える。
【０００７】
第１の構成では、環状形成部材により形成された環状体の外周面を構造物の壁に取り付けることが可能となるため、落下物受け具の設置及び撤去を容易に行うことができる。さらに、底板部材は取り外し可能であるため、衛生面にも配慮した落下物受け具を提供することができる。
【０００８】
第２の構成では、環状体を形成する場合に屈曲若しくは湾曲させる位置を示す指示部を備えている。
【０００９】
第２の構成では、指示部に沿って屈曲若しくは湾曲させれば環状体を形成することが可能であるため、環状体を容易に形成することができる。
【００１０】
第３の構成では、前記環状体は、周方向に少なくとも２つの直線部を備え、該直線部は互いの角度が９０°となるように配置されたものを含む。
【００１１】
第３の構成では、角に設けられた巣の下に設置する場合に、その角を構成する一対の壁のそれぞれに直線部を沿わせて設置することができる。また、２つの落下物受け具それぞれのひとつの直線部どうしが対向するように配置すれば、別の直線部どうしが平面状に延びるように配置することができるため、平面状の壁に設置することができる。
【００１２】
第４の構成では、前記底板部材は、前記底部の下面側から押圧することで前記環状体から取り外すことが可能である。
【００１３】
第４の構成では、糞等の落下物を受けた上面に触れることなく底板部材を取り外すことが可能となる。
【００１４】
第５の構成では、前記環状体の内側を横切るように配置される補助部材をさらに備える。
【００１５】
環状体は、形状によっては、内側へ向けての荷重に対する強度を確保することが困難である場合もある。この点、第５の構成により、内側へ向けての荷重に対する強度を確保することが可能となる。
【００１６】
第６の構成では、前記環状体の内側を横切るように配置される補助部材をさらに備え、
前記補助部材は、前記環状体の下側から取り付けられる。
【００１７】
第６の構成では、底板部材を取り外す場合に補助部材が共に外れる事態を抑制することができる。
【００１８】
建造物に取り付け可能な取付部と、前記環状体を支持可能な支持部とを有する取付部材をさらに備える、請求項１〜６のいずれか１項に記載の落下物受け具。
【００１９】
第７の構成では、取付部材を建造物に残した状態で環状体を取り外し、底板部材の交換を行うことができる。
【００２０】
第８の構成では、前記取付部と前記支持部とは、前記環状体を挟持可能な一対の面を有する。
【００２１】
第８の構成では、取付部材が環状体を面で支持するものとなっているため、取付部材で環状体を支持した場合の安定性を向上させることができる。
【図面の簡単な説明】
【００２２】
【図１】環状形成部材の正面図である。
【図２】補助部材の正面図である。
【図３】環状形成部材により環状体を形成した状態を示す斜視図である。
【図４】環状体と補助部材とを組み合わせた状態を示す図である。
【図５】底板部材の平面図である。
【図６】底板部材を組み立てた状態を示す斜視図である。
【図７】底板部材を環状体へ取り付けた状態を示す図である。
【図８】取付部材の正面図である。
【図９】取付部材の背面図である。
【図１０】取付部材の右側面図である。
【図１１】角に落下物受け具を取り付ける場合の構成を説明する図である。
【図１２】取付部材どうしを組み合わせた状態を説明する図である。
【図１３】平面状の壁面に落下物受け具を取り付ける場合の構成を説明する図である。
【発明を実施するための形態】
【００２３】
以下、実施形態を図面に基づいて説明する。本実施形態に係る落下物受け具１０は、鳥類、特にツバメの巣の下方に設置して用いるものである。
【００２４】
まず、落下物受け具１０を構成する環状形成部材２０について、図１を参照して説明する。落下物受け具１０を構成する環状形成部材２０は、プラスチック段ボールで形成されており、全体が均一な厚み及び均一な幅である帯板状の部材である。この環状形成部材２０は、一方の端部から第１領域２１、第２領域２２、第３領域２３、第４領域２４、第５領域２５、第６領域２６、第７領域２７に区分けされている。この環状形成部材２０は、長手方向において、第４領域２４の中心に対して対称の形状である。すなわち、第１領域２１と第７領域２７とは形状が等しく、第２領域２２と第６領域２６とは形状が等しく、第３領域２３と第５領域２５とは形状が等しい。また、第４領域２４が最も長く、第２領域２２及び第６領域２６は第４領域２４よりも若干短い。第１領域２１、第３領域２３、第５領域２５、及び第７領域２７の長さは略等しく、第４領域２４の長さの概ね半分となっている。
【００２５】
これら各領域２１〜２７の間のそれぞれには、長手方向に対して直交するように、厚みが薄くされた指示部３０が設けられており、その指示部３０により区分けされている。環状形成部材２０は、その指示部３０の位置で折り曲げることが可能となっている。
【００２６】
第１領域２１及び第７領域２７のそれぞれには、長手方向の中心において一方の側部から他方の側部へ向けて幅の略半分の長さだけ切れ込んでいる切れ込み３１，３７がそれぞれ設けられている。この切れ込み３１，３７の幅は、環状形成部材２０の厚みと略等しい。第２領域２２及び第６領域のそれぞれには、長手方向において等間隔に、同形状であり厚み方向に貫通した円形の孔３２，３６が３つずつ設けられている。第３領域２３及び第５領域２５のそれぞれには、第１領域２１及び第７領域２７で切れ込み３１，３７が設けられる側とは反対側の側部には、その側部から中央へ向けて概ね幅の７〜８分の１の位置まで所定幅で切り込まれ、且つ、その位置から中央へ至らない位置まで拡幅されて切り込まれた溝３３，３５がそれぞれ設けられている。第４領域２４には、長手方向の中心において一方の側部から他方の側部へ向けて幅の略半分の長さだけ切れ込んでいる切れ込み３４が設けられている。この切れ込み３４の幅は、環状形成部材２０の厚みと略等しい。  
【００２７】
続いて、環状形成部材２０と組み合わされて用いられる補助部材４０について、図２を参照して説明する。補助部材４０は、環状形成部材２０と同様にプラスチック段ボールで形成されており、厚み及び幅も環状形成部材２０と略等しい帯板状の部材である。補助部材４０の長さは、環状形成部材２０の第４領域２４よりも若干長い。
【００２８】
補助部材４０の一方の端部から環状形成部材２０の第１，７領域２１，２７の約半分の長さだけ離間した位置には、一方の側部から他方の側部へ向けて幅の略半分の長さだけ切れ込んだ切れ込み４１が設けられている。この切れ込み４１の幅は、環状形成部材２０の厚みの略２倍である。補助部材４０の他方の端部から所定の長さだけ離間した位置には、一方の側部から他方の側部へ向けて幅の略半分の長さだけ切れ込んだ切れ込み４２が設けられている。この切れ込み４２の幅は、環状形成部材２０の厚みと略等しい。補助部材４０の切れ込み４１，４２が設けられる側とは反対側の側部には、その側部から中央へ向けて概ね幅の７〜８分の１の位置まで所定幅で切り込まれ、且つ、その位置から中央へ至らない位置まで拡幅されて切り込まれた溝４３が設けられている。
【００２９】
以上のように構成される環状形成部材２０及び補助部材４０の組み合わせ方について図３及び図４を参照して説明する。まず、環状形成部材２０を各指示部３０の位置で同一方向へ屈曲させ、第１領域２１の内側に第７領域の外側２７を対向させ、切れ込み３１，３７どうしの位置を一致させることで、図３に示す環状体を形成する。
【００３０】
続いて、図４に示すように、第１領域２１及び第７領域２７の切れ込み３１，３７の切れ込みに、補助部材４０の一方の端部側に設けられた幅が広いほうの切れ込み４１を差し込む。同様に、第４領域２４に設けられた切れ込み３４に、補助部材４０の他方の端部側に設けられた幅が狭いほうの切れ込み４２を差し込む。こうすることで、図７に示すように、切れ込み３１，３７に補助部材４０が挟まれ、切れ込み４１に第１，７領域２１，２７が挟まれ、切れ込み３１，３７の内側端部と切れ込み４１の内側端部とが当接する。同様に、切れ込み３４に補助部材４０が挟まれ、切れ込み４２に第４領域２４が挟まれ、切れ込み３４の内側端部と切れ込み４２の内側端部とが当接する。
【００３１】
このように、環状形成部材２０により環状体を形成した場合に、第１，７領域２１，２７と第４領域２４とは平行になる。また、第２領域２２と補助部材４０とのなす角度は４５°であり、且つ、第６領域２６と補助部材４とのなす角度も４５°である。すなわち、第２領域２２と第６領域２６との角度が９０°となるように、各領域２１〜２７の長さ、及び、補助部材４０における切れ込み４１，４２どうしの間隔が定められている。さらに、上述したように、補助部材４０の切れ込み４１は、端部から第２領域２２の延長線と第６領域２６の延長線とが交差する位置に、補助部材４０の切れ込み４１が設けられる側の端部が位置することとなる。
【００３２】
また、第１領域２１、第２領域２２、第３領域２３、第４領域２４と、補助部材２０の一方の面とに囲まれる領域と、第１領域２１、第６領域２６、第５領域２５、第４領域２４と、補助部材２０の他方の面とに囲まれる領域とは、上面視にて、補助部材４０に対して対称な五角形である。
【００３３】
以上説明した環状形成部材に取り付けられて用いられる底板部材５０について、図５を参照して説明する。この底板部材５０は、全体が略均一な厚みの段ボールで形成されている。底板部材５０は、環状形成部材２０と補助部材４０とにより形成される五角形の領域のそれぞれと相似形であり、且つ、それらよりも小さい一対の底部５１，６１を備えている。
【００３４】
この底部５１，６１の各辺のうち、互いに平行な辺どうしは、長方形の連結部７０により接続されている。この連結部７０は、底部５１，６１の互いに平行な辺のそれぞれに一方の長辺が接続された長方形の中央壁部７１，７２を備えている。これら中央壁部７１，７２の短辺の長さは、環状形成部材２０の幅よりも若干小さい。底部６１に接続された中央壁部７２の、底部６１に接続される側とは反対側の長辺には、底部５１側へ向けて突出した、長辺に接続された所定幅の部分と、その所定幅に接続された、その所定幅の部分よりも幅広の部分とからなる係合部７３が設けられている。一方、底部５１に接続された中央壁部７１の、底部５１に接続される側とは反対側の長辺における、係合部７３と対向する位置には、底部５１側へ向けて矩形状の凹んだ凹部７４が設けられている。また、中央壁部７１，７２の、底部５１，６１と接続される側とは反対側の長辺において、係合部７３及び凹部７４が設けられる範囲を除いた長辺は、環状形成部材２０の厚みよりも若干幅が広い長方形である上壁部７５により接続されている。
【００３５】
底部５１の各辺には、中央壁部７１が設けられる辺から時計回りに、その辺と１辺を共有する長方形である第１壁部５２、第２壁部５３、第３壁部５４、第４壁部５５が設けられている。同様に、底部６１の各辺には、中央壁部７２が設けられる辺から半時計回りに、その辺と１辺を共有する長方形である第１壁部６２、第２壁部６３、第３壁部６４、第４壁部６５が設けられている。
【００３６】
これら壁部５２〜５５，６２〜６５のうち、第１壁部５２，６２、第２壁部５３，６３、第４壁部５５，６５は、底部５１，６１に対して垂直な辺の長さは等しく、環状形成部材２０の幅と略同等である。また、第３壁部５４，６４の底部５１，６１に対して垂直な辺の長さは、他の壁部５２，５３，５５，６２，６３，６５よりも若干短い。
【００３７】
第１壁部５２，６２、第２壁部５３，６３、第４壁部５５，６５の、底部５１，６１と接続される側と反対の側には、それらの壁部５２，５３，５５，６２，６３，６５と長辺を共有し、短辺の長さが環状形成部材２０の厚みよりも若干大きい、上壁部５６〜５８，６６〜６８がそれぞれ設けられている。一方、第３壁部５４，６４の底部５１，６１と接続される側とは反対の側には、連結部７０に設けられている係合部６３と同形状の係合部５９，６９が設けられている。
【００３８】
以上のように構成される底板部材５０の組み立て方について、図６を参照して説明する。まず、底部５１，６１から第１〜４壁部５２〜５５，６２〜６５及び中央壁部７１，７２が同一方向へ垂直に起立するように折り曲げる。続いて、上壁部５６〜５８，６６〜６８，７５、係合部５９，６９，７３を、それらに接続される第１〜４壁部５２〜５５，６２〜６５及び中央壁部７１，７２が折り曲げられた方向とは反対側へと折り曲げる。これで、底板部材５０の組み立てが完了する。
【００３９】
組み立てられた底板部材５０は、図７に示すように、環状形成部材２０により形成された環状体に取り付けられる。このとき、底板部材５０は補助部材４０が差し込まれる側とは反対の側、すなわち、上側から取り付けられる。
【００４０】
環状形成部材２０により形成された環状体に底板部材５０が取り付けられた場合、底板部材５０の第１壁部５２，６２は、環状形成部材２０の第７領域２７に対向し、一方の第２壁部６３、第３壁部６４は、それぞれ第２領域２２、第３領域２３に対向し、他方の第２壁部５３、第３壁部５４は、それぞれ第６領域２６、第５領域２５に対向する。また、第４壁部５５，６５は、第４領域２４に対向する。このとき、上壁部５６〜５８，６６〜６８は、第１領域２１、第２領域２２、第４領域２４、第６領域２６、第７領域２７の上方を覆う。係合部５９，６９は、それぞれ溝３５，３３に嵌め込まれて係止される。加えて、補助部材４０の両面は、中央壁部７１，７２により挟み込まれる。このとき、補助部材４０に設けられた溝４３には、係合部７３が嵌め込まれて係止される。
【００４１】
このようにして、環状体に底板部材５０が取り付けられた後、取付部材８０により、建造物の壁面に取り付けられる。この取付部材８０の構造について、図８〜図１０を参照して説明する。なお、この取付部材８０は、硬質の樹脂により形成されている。
【００４２】
取付部材８０を構成する取付部８１は、全体形状が略長方形の板状であり、長辺の長さは環状形成部材２０の第２壁部２２及び第６壁部２６の長さよりも若干長く、短辺の長さは環状形成部材２０の幅の２倍程度である。取付部８１の中央には、取付部８１と相似形であり、且つ、短辺の長さが環状形成部材２０の幅と略等しい開口が形成されており、その開口と略同形状であり取付部８１と厚みが略等しい支持部８２が、取付部８１と平行に且つ取付部８１から第１方向に突出するように設けられている。この支持部８２と取付部８１との間隔は、環状形成部材２０の厚みと略等しい。また、支持部８２の取付部８１側の面には、球冠状の３つの球状凸部８３が、第２領域２２及び第６領域２６に設けられている孔３２，３６と同じ間隔で、設けられている。また、この球状凸部８３の底面の直径は、孔３２，３６の直径と略等しい。
【００４３】
取付部８１の支持部８２が設けられる側の反対側の面において、開口の両脇には、わずかに突出した周壁に囲われた矩形の貼着領域８４が設けられている。また、取付部８１のその面には、円形の凹部８５と凸部８６が、複数等しい数だけ設けられている。これら凹部８５及び凸部８６は、凹部８５の取付部８１の左右の中心軸線に対して対称となる位置に、凸部８６が設けられている。取付部８１の、開口のやや上側には、長手方向に伸びる直線状の開口８８が設けられている。また、取付部８１における開口８８の左右の延長線上の部分は、長手方向に延びる溝８９が形成されており、この開口８８及び溝８９を利用して折り割ることで、取付部８１の上部を切り取ることができる。
【００４４】
以上のように構成される取付部材８０を用いて、壁面に囲われた角に落下物受け具１０を取り付ける場合について、図１１を参照して説明する。この場合には、環状形成部材２０、補助部材４０、底板部材５０をそれぞれひとつずつ、及び、取付部材８０を２つ用いる。
【００４５】
まず、取付部材８０の取付部材８１と支持部８２との間に、環状形成部材２０の第２領域２２、第６領域２６がそれぞれ挟まれるように、取り付ける。このとき、取付部８１の上下方向の一部が、環状体の上下方向からはみ出る。第２領域２２、第６領域２６に設けられている孔３２，３６に、支持部８２に設けられた球状凸部８３が嵌まり込み、固定される。このとき、上述したように続いて、取付部８２に設けられた貼着領域８４に図示しない両面テープを貼り付け、その両面テープにより壁面に仮止めする。そして、取付部８１の上下方向にはみ出た領域にその領域よりも大きい粘着テープを貼り付けて、壁面に取り付ける。なお、この場合において、壁面に対向する第２領域２２及び第６領域２６は、平面視若しくは底面視にて、壁面と平行な直線状であるため、直線部と称することができる。
【００４６】
続いて、落下物受け具１０を角ではない壁面に取り付ける場合について、図１２及び図１３を参照して説明する。この場合には、環状形成部材２０、補助部材４０、底板部材５０をそれぞれ２つずつ、及び、取付部材８０を４つ用いる。
【００４７】
まず、２つの取付部材８０の取付部８１を開口８８及び溝８９を利用して折り割り、その溝８８から上の部分を取り除く。続いて、その２つの取付部材８０の取付部８１の支持部８２が設けられる側とは反対の側を対向させ、貼着領域８４に張り付けた図示しない両面テープや、取付部材の左右の端部を覆うように貼り付けられる粘着テープ等により、張り合わせる。こうすることで、図１２に示すように、取付部材８０の一方の面どうしが対向し、両面から支持部８２が突出するように構成することができる。このとき、上述したように、凹部８５と凸部８６が左右の対称な箇所に位置しているため、凹部８５と凸部８６が対向し、取付部材８０どうしのずれが抑制される。
【００４８】
このように２つの取付部材８０を組み合わせたうえで、一方の取付部材８０の取付部と支持部８１との間には、一方の環状形成部材２０の第２領域２２を挟み込み、他方の取付部材８０の取付部８１と支持部８２との間には、他方の環状形成部材２０の第６領域２６を挟み込む。こうすることで、一方の環状形成部材２０の第６領域２６と他方の環状形成部材２０の第２領域２２とが、同一平面上に位置することになる。
【００４９】
続いて、同一平面上に位置することとなった第６領域２６及び第２領域２２のそれぞれに、別の取付部材８０をそれぞれ取り付け、その取付部材８０を壁面に取り付ける。この場合の取付部材８０の取付方法については、壁面に囲われた角に取り付ける場合と同等であるため、具体的な説明を省略する。
【００５０】
上記構成により、本実施形態に係る落下物受け具は、以下の効果を奏する。
【００５１】
・環状形成部材２０により形成された環状体の外周面を構造物の壁に取り付けることが可能となるため、落下物受け具１０の設置及び撤去を容易に行うことができる。さらに、底板部材２０は取り外し可能であるため、衛生面にも配慮した落下物受け具１０を提供することができる。
【００５２】
・環状形成部材２０に指示部３０を設け、その指示部３０の位置で折り曲げて環状体を形成するようにしているため、容易に環状体を形成することができる。
【００５３】
・環状形成部材２０により環状体を形成した場合に、第２領域２２と第６領域２６との角度が直角となるようにしているため、建物の角に設けられた巣の下に設置する場合に、その角を構成する一対の壁のそれぞれに第２領域２２と第６領域２６とを沿わせて設置することができる。また、２つの落下物受け具１０を利用して、第２領域２２と第６領域とが対向するように組み合わせることで、対向しないほうの第２領域２２と第６領域２６が平面状に延びるように配置することができ、これにより、平面状の壁に設置することができる。
【００５４】
・底板部材５０を下面側から押せばその底板部材５０を取り外すことができるため、糞等の落下物を受けた上面に触れることなく底板部材５０を取り外すことが可能となる。
【００５５】
・環状体の内側に補助部材４０を設けているため、環状体の内側へ向けての荷重に対する強度を確保することが可能となる。
【００５６】
・補助部材４０を環状体の下側から取り付けており、底板部材５０は下面側から押されることにより取り外されるものであるため、底板部材５０を取り外す場合に補助部材４０が共に外れる事態を抑制することができる。
【００５７】
・環状形成部材２０や底板部材５０等とは別体に取付部材８０を設けるものとしているため、取付部材８０を建造物に残した状態で環状体を取り外し、底板部材５０の交換を行うことができる。
【００５８】
・取付部材８０が環状体を面で支持するものとなっているため、取付部材８０で環状体を支持した場合の安定性を向上させることができる。
【００５９】
・底板部材５０の上壁部５６〜５８，６６〜６８が、第１領域２１、第２領域２２、第４領域２４、第６領域２６、第７領域２７の上方を覆っているため、鳥の糞等が環状形成部材２０に付着する事態を抑制することができる。
【００６０】
・環状形成部材２０を帯板状としているため、底板部材５０への風の影響を抑制することができる。
【００６１】
・落下物受け具１０を壁面に囲まれた角に取り付けた場合、第２領域２２及び第６領域２６と角が離間し、その角と第１領域２１との間に空隙を形成している。同様に、落下物受け具１０を角ではない壁面に取り付ける場合にも、その壁面と対向しない第２領域２２及び第６領域２６と壁面とが離間し、壁面と２つの第１領域２１とに囲まれる空隙を形成している。これにより、その空隙が風の通り道として機能し、安定した設置を可能とすることができる。
【００６２】
＜変形例＞
・実施形態では、環状形成部材２０を帯板状としたが、棒状等のような他の長尺状の部材としてもよい。
【００６３】
・実施形態では、１枚の環状形成部材２０で環状体を形成するものとしたが、複数の環状形成部材２０を組み合わせてひとつの環状体を形成するものとしてもよい。
【００６４】
・補助部材４０の形状は、実施形態で示すような長尺板状のものに限られず、種々の変更が可能である。また、２以上の補助部材４０を設けるものとしてもよい。
【００６５】
・実施形態では、環状体の各辺を直線状としたが、少なくとも一部の辺が湾曲する形状であってもよい。この場合に、湾曲する辺を取付部材８０で支持するのであれば、取付部材８０の形状を湾曲したものとすることで、取り付けた場合の安定性を向上させることができる。
【００６６】
・実施形態では、環状形成部材２０を指示部３０の位置で屈曲させて環状体としているが、湾曲させて環状体としてもよい。また、指示部３０について、実施形態では屈曲を容易にする形状としているが、単に屈曲させたり湾曲させたりする位置を示すものであってもよい。
【００６７】
・補助部材４０を設けるものとしたが、環状体を形成するうえでの強度を環状形成部材４０の形状や材質等により確保するものとし、補助部材４０を設けないものとしてもよい。この場合には、環状形成部材２０の両端近傍に互い違いとなる切れ込みを設け、その切れ込みを互いに挿し合わせることで環状体を形成するものとすればよい。また、補助部材４０を設けない場合の環状体を形成するための手段はこれに限られず、例えば、環状形成部材２０の端部の外面と内面とを接着することで環状体としたり、環状形成部材２０の端部どうしを粘着テープで接続したり、クリップ等で挟み込んで接続する等、他の手段を採用することができる。
【００６８】
・実施形態では、環状形成部材２０により形成された環状体を取付部材８０を介して建造物に取り付けるものとしたが、環状体を粘着テープ等で直接建造物に取り付けるものとしてもよい。
【００６９】
・実施形態では、２つの環状体を接続する場合に取付部材８０を介して接続するものとしたが、取付部材８０を介さず粘着テープ等を用いて接続するものとしてもよい。
【００７０】
・実施形態では、平面状の壁面に取り付ける場合に２つの落下物受け具１０を用いるものとしたが、ひとつの落下物受け具１０のみを用いるものとし、第２領域２２及び第６領域２６の一方に取付部材８０を取り付けるものとしてもよい。
【００７１】
・建物の角に取り付ける場合において、取付部材８０を２つ用いるものとしたが、一方の壁への取り付けが困難な場合等には、取付部材８０をひとつだけ利用するものとしてもよい。
【００７２】
・実施形態で示した各部材の材質は、あくまで一例であって、種々の変更が可能である。
【符号の説明】
【００７３】
落下物受け具…１０、環状形成部材…２０、指示部…３０、補助部材…４０、底板部材…５０、取付部材…８０、取付部…７１、支持部７２
【図１】
2020163260.tif 000003
【図２】
2020163260.tif 000004
【図３】
2020163260.tif 000005
【図４】
2020163260.tif 000006
【図５】
2020163260.tif 000007
【図６】
2020163260.tif 000008
【図７】
2020163260.tif 000009
【図８】
2020163260.tif 000010
【図９】
2020163260.tif 000011
【図１０】
2020163260.tif 000012
【図１１】
2020163260.tif 000013
【図１２】
2020163260.tif 000014
【図１３】
2020163260.tif 000015